(57)【要約】【課題】多数の光ファイバ心線が間欠的に連結された光ファイバテープ心線を束ねてユニット化し、該ユニットの複数本を束ねてケーブル化するに際して、各ユニット内のテープ心線および光ファイバ心線は、他のユニット内のテープ心線および光ファイバ心線とは、識別・分離が容易なようにユニット化されている光ファイバケーブルを提供する。【解決手段】３本以上の光ファイバ心線を平面上に一列に並べ、隣り合う光ファイバ心線同士が長手方向に連結部と分離部を交互にして間欠的に連結された光ファイバテープ心線の周囲全体を覆うように押え巻き（２３ａ〜２３ｃ）により束ねてテープ心線ユニット（２１ａ〜２１ｃ）とし、該テープ心線ユニット２１の複数本を撚り合わせてケーブルコア２０ａとし、該ケーブルコアの外周に外被２７を施す。【選択図】図２
2014016529.tif 000002
【特許請求の範囲】
【請求項１】
３本以上の光ファイバ心線を平面上に一列に並べ、隣り合う光ファイバ心線同士が長手方向に連結部と分離部を交互にして間欠的に連結された光ファイバテープ心線の周囲全体を覆うように押え巻きにより束ねてテープ心線ユニットとし、
前記テープ心線ユニットの複数本を撚り合わせて光ファイバケーブルコアとし、該光ファイバケーブルコアの外周に外被を施したことを特徴とする光ファイバケーブル。
【請求項２】
前記押え巻きは、テープ状の長尺体を縦添えし、その周囲に糸状または帯状の粗巻き紐を螺旋状に巻付けてなることを特徴とする請求項１に記載の光ファイバケーブル。
【請求項３】
前記押え巻きは、テープ状の長尺体を予め筒状体に成形し、その開閉部を開いて縦添するように被せてなることを特徴とする請求項１に記載の光ファイバケーブル。
【請求項４】
前記押え巻きは、テープ状の長尺体を螺旋状に巻付けてなることを特徴とする請求項１に記載の光ファイバケーブル。
【請求項５】
前記テープ心線ユニットは、小心数の光ファイバテープ心線を束ねたテープ心線サブユニットを複数束ねてなることを特徴とする請求項１〜４のいずれか１項に記載の光ファイバケーブル。
【請求項６】
前記テープ心線サブユニットは、前記小心数の光ファイバテープ心線の周囲を糸状または帯状の粗巻き紐を螺旋状に巻付けて束ねられていることを特徴とする請求項５に記載の光ファイバケーブル。
【請求項７】
前記テープ心線サブユニットは、前記小心数の光ファイバテープ心線の周囲全体を覆うようにテープ状の長尺体を縦添えまたは螺旋状に巻付けて束ねられていることを特徴とする請求項５に記載の光ファイバケーブル。
【請求項８】
前記押え巻きに、前記テープ心線ユニットを識別するユニット番号が付されていることを特徴とする請求項１〜７のいずれか１項に記載の光ファイバケーブル。
【請求項９】
前記押え巻きに、前記テープ心線ユニットを識別する色が付されていることを特徴とする請求項１〜７のいずれか１項に記載の光ファイバケーブル。
【発明の詳細な説明】
【技術分野】
【０００１】
本発明は、複数本の光ファイバテープ心線を高密度に集合一体化させた多心光ファイバケーブルに関する。
【背景技術】
【０００２】
近年の映像配信、ＩＰ電話、データ通信等のブロードバンドサービスの拡大により、光ファイバによる家庭向けのデータ通信サービス（ＦＴＴＨ：Fiber To The Home）の加入者が増加している。このＦＴＴＨでは、幹線光ファイバケーブルからドロップ光ケーブルを用いて加入者宅等に引き落とされるが、幹線光ファイバケーブルのより細径・高密度化が望まれると共に、光ファイバの引き落としの作業性の向上が要望されている。
【０００３】
このための光ファイバケーブルに用いる光ファイバテープ心線（以下、テープ心線という）として、例えば、特許文献１，２にテープ心線の長手方向で、隣り合う光ファイバ心線同士が連結部と分離部（非連結部）により間欠的に連結された形状のものが開示されている。このテープ心線は、光ファイバケーブルに用いた場合、光ファイバ心線を単心に分離するのが容易であると共に、光ファイバ心線の配列状態を維持して光ファイバの識別や一括融着接続等の容易性も確保することが可能となる。また、テープ心線を丸めあるいは折り畳んで収納性を高めると共に、曲げに対する歪みを緩和することが可能となる。
【０００４】
また、上記のテープ心線を複数枚束ね、着色糸またはテープを用いて一体化してユニットとし、このユニットを複数撚り合わせて集合させ、その外周に外被を施して１０００心の光ファイバケーブルとすることが開示されている。
【先行技術文献】
【特許文献】
【０００５】
【特許文献１】特許４６１９４２４号公報
【特許文献２】特開２０１０−２８６７３５号公報
【発明の概要】
【発明が解決しようとする課題】
【０００６】
上述した光ファイバケーブルで、所望の光ファイバ心線を選択して引き落とすには、まずユニットの周囲に巻かれた糸またはテープの色でユニット番号を識別し、当該ユニット中のテープ心線の中の光ファイバ心線の色でテープ心線番号を識別し、さらに光ファイバ心線の色で光ファイバ番号を識別することになる。
また、上記の特許文献１，２では、各ユニットに糸またはテープが巻付けられているだけであるので、複数のユニットが束ねられた状態では、光ファイバ心線と糸またはテープとが、ほぼ平行に雑然と存在することとなって区別がつきにくく、ユニット番号の識別が難しいという問題がある。
【０００７】
また、糸またはテープの識別ができたとしても、所望の糸またはテープを摘んで当該ユニットを他のユニットから分離させる際に、糸またはテープを巻いただけではユニットとしての一体感が弱い。このため、取り出す光ファイバ心線が他のユニットの光ファイバに引掛かたりして、他のユニットの光ファイバ心線との区別がつかなくなると言うようなこともある。
また、特許文献２では、ユニット内を５つのテープ心線の束（サブユニット）に分けて、階層構造を持たせているが、ユニット及びサブユニットを糸またはテープで束ねるだけでは階層の識別性が弱い。このため、所望のサブユニットを分離するのが難しく、光ファイバ心線取り出しの作業性も悪くなり、配線ミスなどを起こし易いという問題がある。
【０００８】
本発明は、上述した実状に鑑みてなされたもので、多数の光ファイバ心線が間欠的に連結された光ファイバテープ心線を束ねてユニット化し、該ユニットの複数本を束ねてケーブル化するに際して、各ユニット内のテープ心線および光ファイバ心線は、他のユニット内のテープ心線および光ファイバ心線とは、識別・分離が容易なようにユニット化されている光ファイバケーブルの提供を目的とする。
【課題を解決するための手段】
【０００９】
本発明による光ファイバケーブルは、３本以上の光ファイバ心線を平面上に一列に並べ、隣り合う光ファイバ心線同士が長手方向に連結部と分離部を交互にして間欠的に連結された光ファイバテープ心線の周囲全体を覆うように押え巻きにより束ねてテープ心線ユニットとし、該テープ心線ユニットの複数本を撚り合わせてケーブルコアとし、該光ケーブルコアの外周に外被を施したことを特徴とする。
上記の押え巻きは、テープ状の長尺体を縦添えし、その周囲に糸状または帯状の粗巻き紐を螺旋状に巻付けるか、または、テープ状の長尺体を予め筒状体に成形し、その開閉部開いて縦添えするようにして被せるか、もしくは、テープ状の長尺体を螺旋状に巻付けるかして形成することができる。
【００１０】
また、上記のテープ心線ユニットは、小心数の光ファイバテープ心線を束ねたテープ心線サブユニットを複数束ねて形成することができる。このテープ心線サブユニットは、上記の小心数の光ファイバテープ心線の周囲を糸状または帯状の粗巻き紐を螺旋状に巻付けて束ねるか、もしくは、小心数の光ファイバテープ心線の周囲全体を覆うようにテープ状の長尺体を縦添えまたは螺旋状に巻付けて束ねられる。
また、上記の押え巻きには、テープ心線ユニットを識別するユニット番号が付されるか、もしくは、テープ心線ユニットを識別する色が付される。
【発明の効果】
【００１１】
本発明によれば、光ファイバ心線を間欠的に連結した光ファイバテープ心線を、複数枚連結または集合させてユニット化して多心のテープ心線ユニットとし、該多心のテープ心線ユニットを複数本束ねて多心の光ファイバケーブルとする際に、上記のテープ心線ユニットの一体性を高めることができる。この結果、光ファイバケーブルから所望のテープ心線ユニット内のテープ心線および光ファイバ心線を取り出すのに、他のテープ心線ユニットのテープ心線および光ファイバ心線から容易に識別して分離することが可能となる。このため、光ファイバケーブルからに光ファイバ心線の引き落としの作業性を向上させることができる。
【図面の簡単な説明】
【００１２】
【図１】本発明の光ファイバケーブルに用いる光ファイバテープ心線の一例とテープ心線のユニット化の一例を示す図である。
【図２】本発明による光ファイバケーブルとテープ心線ユニットの押え巻きの例を説明する図である。
【発明を実施するための形態】
【００１３】
図により本発明の実施形態を説明する。本発明における光ファイバテープ心線ユニットに用いる光ファイバテープ心線は、例えば、図１（Ａ）に示すような形状のものが用いられる。この光ファイバテープ心線１０は、３本以上の光ファイバ心線１１を平面上に一列に並べ、隣り合う光ファイバ心線同士が連結部１２と非連結部分の分離部１３とを交互にして、間欠的に連結された形態の光ファイバテープ心線（以下、テープ心線という）である。なお、本発明の説明では、テープ心線１０としては８心のテープ心線を例示するが、特にこれに限定するものではない。
【００１４】
例えば、４心のテープ心線を２枚連結して８心としてもよく、８心のテープ心線を２枚連結して１６心のテープ心線としてもよい。さらに、４心のテープ心線を６枚連結、もしくは、８心のテーパ心線を３枚連結して２４心としてもよく、４心のテープ心線を１０枚連結、もしくは、８心のテーパ心線を５枚連結して４０心のテープ心線としてもよい。なお、上記のテープ心線の連結には、各光ファイバ心線間を連結する連結部１２と分離部１３と同様な間欠的な連結を用いることが好ましい。
【００１５】
なお、本発明における光ファイバ心線１１とは、例えば、外径が１２５μｍのガラスファイバに、被覆径が２５０μｍ前後のファイバ被覆を施した光ファイバ素線とも言われているもの、また、そのファイバ被覆の外面に着色層を施したものを含めた単心の光ファイバを言うものとする。
図１（Ａ）に示すテープ心線１０は、隣り合う光ファイバ心線同士を連結する連結部１２が、隣り合う光ファイバ心線間の連結部１２とは重ならないように長手方向で位置が異なるように形成した例である。
【００１６】
図１（Ｂ）は、上記のテープ心線１０の長手方向のａ，ｂ，ｃ位置における光ファイバ心線間の連結と分離状態をしめす図である。ａ位置においては、両端の光ファイバ心線１１が分離され、内側の光ファイバ心線が隣り合う２心が対にされて連結部１２により連結され、対間は分離部１３とされる。ｂ位置における光ファイバ心線間は、隣り合う全心が分離部１３により分離される。ｃ位置における光ファイバ心線間は、ａ位置での光ファイバ心線間が分離された部分が連結部１２とされ、連結された部分が分離部１３とされる。
【００１７】
上記のように光ファイバ心線間を間欠的に連結することにより、光ファイバ心線間の配列状態を維持して、多心一括融着接続を容易にすると共に心線番号の順番を保持し、また、連結部１２をカッタ等で切り裂くことにより、容易に単心に分離することができる。また、連結部１２の長さＸを分離部１３の長さＹより小さくする（例えば、Ｘ＝４０ｍｍ、Ｙ＝６０ｍｍ）とすることにより、ｂ部断面で示すように全心が単心に分離されている領域Ｚを形成することができる。この領域Ｚが存在すると、テープ心線１０の折り曲げが容易で、テープ心線１０を折り重ねたり、円形状に丸めて束ねることが容易となる。
【００１８】
図１（Ｃ）は、多心のテープ心線１０を折り畳みまたは円形状に丸めて束ね、糸状または帯状の粗巻き紐１４を螺旋状に巻付けてユニット化した状態を示した図である。なお、本発明においては、このテープ心線を束ねてユニット化した状態で、テープ心線ユニット、もしくはテープ心線サブユニットと、言うものとする。
ユニット化するテープ心線１０は、数十心の多心化された１枚のテープ心線であってもよく、４〜１６心程度の小心のテープ心線の複数枚を集合させたものであってもよい。また、図１（Ｃ）ではテープ心線が直線状に束ねられた状態を示しているが、撚り合せるようにしてもよい。
【００１９】
図２（Ａ）は、上述した間欠的に連結されたテープ心線からなるテープ心線ユニットの複数本を集合させて光ファイバケーブルとした一例を示す図である。光ファイバケーブル２０は、複数本のテープ心線ユニット２１を撚り合わせてケーブルコア２０ａとし、その外周を黒色の低密度ポリエチレン等の外被２７で覆って構成される。なお、外被２７内には、通常の光ファイバケーブルと同様に、外径１ｍｍ程度の鋼線２本がテンションメンバ２８が埋設され、また、アラミド繊維等からなる外被引裂き用の引裂き紐２９が配設される。
【００２０】
図２（Ａ）に示す光ファイバケーブル２０を、例えば、１０００心の光ファイバからなるケーブルとする。この場合、ケーブルコア２０ａは、２００心の光ファイバからなるテープ心線ユニット２１を５本集合させ、これを撚り合わせるなどして円形状に束ねて形成するものとする。なお、各テープ心線ユニット２１は、例えば、高密度に集合させるために断面が扇状になるように束ねた例を示しているが、特にこれに限定されるものではなく、束ねた状態で外形が円形状になればよい。
【００２１】
光ファイバケーブル２０のテープ心線ユニット２１は、光ファイバの心数が２００心のように多くなると、テープ心線ユニット内のテープ心線や光ファイバ心線の識別が容易でなく、取り出しも容易ではなくなる。また、多数のテープ心線を高密度で束ねユニット化するのも容易でなく、細径化も難しくなる。このため、図２（Ｂ）〜図２（Ｄ）に示すように、テープ心線ユニットより心数の少ないテープ心線サブユニット２２を形成し、このテープ心線サブユニット２２を複数束ねてテープ心線ユニット２１とすることができる。例えば、４０心の光ファイバからなるテープ心線サブユニット２２を５本束ねることにより、２００心の光ファイバからなるテープ心線ユニットとすることができる。
【００２２】
図２（Ｂ）〜図２（Ｄ）に示すテープ心線ユニット２１ａ〜２１ｃは、何れも４０心の光ファイバからなるテープ心線サブユニット２２の５本を束ねて２００心とし、断面の外形が扇状になるように束ね、そのテープ心線の外周全体を覆うように押え巻き２３ａ〜２３ｃを施して構成した例である。押え巻き２３ａ〜２３ｃは、ユニットを構成するテープ心線の外周全体が覆われるように押え巻きすることで、テープ心線ユニットとしての一体感を強め、他のテープ心線ユニット内のテープ心線や光ファイバ心線とは混同せず、識別性を高めることができる。
【００２３】
図２（Ｂ）に示すテープ心線ユニット２１ａは、押え巻き２３ａとして、不織布からなるテープ状の長尺体２４を、ユニットを構成するテープ心線の外周全体が覆われるように縦添えし、その外側に糸または帯状の粗巻き紐２４ａを螺旋状に巻付けた例である。粗巻き紐２４ａには、例えば、ＰＥＴ（ポリエチレンテレフタレート）テープを用い、その色をテープ心線ユニットの番号に応じて、青、黄、緑、赤、紫などに着色されたものを用いることができる。
【００２４】
なお、テープ状の長尺体２４として、不織布のほかに、例えば、ポリエチレンテープ、ＰＥＴテープを用いることができる。また、不織布に吸水性パウダーを塗布することで、防水性を備えることもできる。また、粗巻き紐２４ａとして、ＰＥＴテープ以外に、木綿糸、ポリエステル糸、ナイロン糸、ポリエチレンテープ、ポリプロピレン（ＰＰ）テープなどを用いることもできる。
【００２５】
図２（Ｃ）に示すテープ心線ユニット２１ｂは、押え巻き２３ｂとして、ＰＥＴを貼り付けた不織布からなるテープ状の長尺体２５を、予めユニット断面の外形に適合する開閉部２５ａを有する筒状体に成形し、ユニットを構成するテープ心線の外周全体が覆われるように被せた例である。長尺体２５を筒状体に成形する方法としては、ＰＥＴを貼り付けた不織布からなる長尺体を、ユニット外形に応じた治具に熱を加えながら巻付けて、巻き癖を付けるようにして成形する。そして、長尺体２５の合わせ目である開閉部２５ａを開いてテープ心線ユニットの外周に縦添えするようにして被せる。
【００２６】
図２（Ｄ）に示すテープ心線ユニット２１ｃは、押え巻き２３ｃとして、不織布からなるテープ状の長尺体２６を、ユニットを構成するテープ心線の外周全体が覆われるように、重ね部２６ａを有するように螺旋状に巻付けた例である。なお、テープ状の長尺体２６として、不織布のほかに、例えば、ポリエチレンテープ、ＰＥＴテープを用いることができる。また、不織布に吸水性パウダーを塗布することで、防水性を備えることもできる。
【００２７】
なお、押え巻き２３ａ〜２３ｃの表面には、上記の何れの例においても、テープ心線ユニットの番号を付すことで、識別を容易にすることができる。また、押え巻き２３ａ〜２３ｃの長尺体またはその表面に、テープ心線ユニットを識別する色を付すようにしてもよい。
【００２８】
また、テープ心線ユニット２１ａ〜２１ｃを構成するテープ心線サブユニット２２は、図１（Ｃ）で示したのと同様に、その外側に糸または帯状の粗巻き紐を螺旋状に巻付けてユニット化することができる。粗巻き紐には、例えば、ＰＥＴ（ポリエチレンテレフタレート）テープを用い、その色をテープ心線サブユニットの番号に応じて、青、黄、緑、赤、紫などに着色されたものを用いることができる。
【００２９】
また、テープ心線ユニット２１ａ〜２１ｃを構成するテープ心線サブユニット２２は、図２（Ｂ）、図２（Ｄ）で示したのと同様に、小心数の光ファイバテープ心線の周囲全体を覆うようにテープ状の長尺体を縦添えまたは螺旋状に巻付けてユニット化するようにしてもよい。
【符号の説明】
【００３０】
１０…光ファイバテープ心線（テープ心線）、１１…光ファイバ心線、１２…連結部、１３…分離部、１４…粗巻き紐、２０…光ファイバケーブル、２０ａ…ケーブルコア、２１〜２１ｃ…テープ心線ユニット、２２…テープ心線サブユニット、２３ａ〜２３ｃ…押え巻き、２４…長尺体（縦添え）、２４ａ…粗巻き紐、２５…長尺体（成形筒状体）、２５ａ…開閉部、２６…長尺体（螺旋巻き）、２６ａ…重ね部、２７…外被、２８…テンションメンバ、２９…引裂き紐。
【図１】
2014016529.tif 000003
【図２】
2014016529.tif 000004